(57)【要約】【課題】移動通信端末受入試験の事前準備時間の短縮及び受入試験結果の正確性低下の抑制を実現することができる移動通信端末試験装置及び移動通信端末試験方法を提供する。【解決手段】移動通信端末試験装置１０は、信号強さ及びノイズ強さの設定値に基づき無線信号の信号強さ及びノイズ強さを調整する電力制御部１３ａと、調整された信号強さ及びノイズ強さを有する無線信号を移動通信端末２０に送信する送信部１３ｂと、移動通信端末２０により受信された無線信号の信号強さ及びノイズ強さの測定値を取得する測定値取得部１５と、信号強さの設定値と測定値との差を示す第１の差分値及びノイズ強さの設定値と測定値との差を示す第２の差分値を計算する差分計算部１６とを備える。電力制御部１３ａは、第１の差分値及び第２の差分値に基づいて信号強さ及びノイズ強さの設定値を補正し、補正した各設定値に基づいて信号強さ及びノイズ強さを調整する。【選択図】図１
2017098651.tif 000002
【特許請求の範囲】
【請求項１】
無線信号の信号強さを示す第１の設定値及び前記無線信号のノイズ強さを示す第２の設定値に基づいて無線信号の信号強さ及びノイズ強さを調整する電力制御部（１３ａ）と、
前記電力制御部により調整された前記信号強さ及び前記ノイズ強さを有する無線信号を移動通信端末（２０）に送信する送信部（１３ｂ）と、
前記移動通信端末により受信された前記無線信号の信号強さを示す第１の測定値及び前記移動通信端末により受信された前記無線信号のノイズ強さを示す第２の測定値を前記移動通信端末から取得する測定値取得部（１５）と、
前記第１の設定値と前記第１の測定値との差を示す第１の差分値及び前記第２の設定値と前記第２の測定値との差を示す第２の差分値を計算する差分計算部（１６）と、
を備え、
前記電力制御部は、前記差分計算部により計算された前記第１の差分値に基づいて前記第１の設定値を補正し、前記差分計算部により計算された前記第２の差分値に基づいて前記第２の設定値を補正し、補正した前記第１の設定値及び前記第２の設定値に基づいて前記信号強さ及び前記ノイズ強さを調整することを特徴とする移動通信端末試験装置。
【請求項２】
前記移動通信端末に測定の実行を要求する測定要求を出力する測定要求部（１４）をさらに備え、
前記送信部は、前記測定要求部により出力された前記測定要求を前記移動通信端末に送信し、
前記移動通信端末は、前記送信部により送信された前記測定要求に応じ、前記無線信号の信号強さ及びノイズ強さを測定することを特徴とする請求項１に記載の移動通信端末試験装置。
【請求項３】
前記移動通信端末は、前記第１の測定値及び前記第２の測定値を含む測定レポートを生成し、
前記測定値取得部は、前記移動通信端末により生成された前記測定レポートを解析し、前記測定レポートから前記第１の測定値及び前記第２の測定値を取得することを特徴とする請求項１又は請求項２に記載の移動通信端末試験装置。
【請求項４】
無線信号の信号強さを示す第１の設定値及び前記無線信号のノイズ強さを示す第２の設定値に基づいて無線信号の信号強さ及びノイズ強さを調整する電力制御ステップ（Ｓ２）と、
前記電力制御ステップにより調整された前記信号強さ及び前記ノイズ強さを有する無線信号を移動通信端末（２０）に送信する送信ステップ（Ｓ３）と、
前記移動通信端末により受信された前記無線信号の信号強さを示す第１の測定値及び前記移動通信端末により受信された前記無線信号のノイズ強さを示す第２の測定値を前記移動通信端末から取得する測定値取得ステップ（Ｓ６）と、
前記第１の設定値と前記第１の測定値との差を示す第１の差分値及び前記第２の設定値と前記第２の測定値との差を示す第２の差分値を計算する差分計算ステップ（Ｓ７）と、
を有し、
前記電力制御ステップでは、前記差分計算ステップにより計算された前記第１の差分値に基づいて前記第１の設定値を補正し、前記差分計算ステップにより計算された前記第２の差分値に基づいて前記第２の設定値を補正し、補正した前記第１の設定値及び前記第２の設定値に基づいて前記信号強さ及び前記ノイズ強さを調整することを特徴とする移動通信端末試験方法。
【請求項５】
前記移動通信端末に測定の実行を要求する測定要求を出力する測定要求ステップ（Ｓ４）をさらに有し、
前記送信ステップでは、前記測定要求ステップにより出力された前記測定要求を前記移動通信端末に送信し、
前記測定値取得ステップでは、前記送信ステップにより送信された前記測定要求に応じ、前記無線信号の信号強さ及びノイズ強さを測定した前記移動通信端末から、前記第１の測定値及び前記第２の測定値を取得することを特徴とする請求項４に記載の移動通信端末試験方法。
【請求項６】
前記移動通信端末は、前記第１の測定値及び前記第２の測定値を含む測定レポートを生成し、
前記測定値取得ステップでは、前記移動通信端末により生成された前記測定レポートを解析し、前記測定レポートから前記第１の測定値及び前記第２の測定値を取得することを特徴とする請求項４又は請求項５に記載の移動通信端末試験方法。
【発明の詳細な説明】
【技術分野】
【０００１】
本発明は、試験対象の移動通信端末に対して通信試験を行う移動通信端末試験装置及び移動通信端末試験方法に関する。
【背景技術】
【０００２】
移動体通信事業者による移動通信端末の受入試験では、事前準備として、移動通信端末により受信される無線信号（受信信号）の信号強さ及びノイズ強さ（信号品質）が、試験仕様に基づいて予め定められた基準値と一致するよう、移動通信端末試験装置により送信される無線信号（送信信号）の信号強さやノイズ強さを調整しておく必要がある。この調整が不十分であると、受入試験の試験結果の正確性が低下することになる。
【０００３】
前述の受入試験の事前準備において、試験者は、移動通信端末試験装置の操作部を入力操作し、前述の基準値に基づいて移動通信端末試験装置に信号強さ及びノイズ強さを設定する。次に、試験者は、前述の操作部を入力操作し、移動通信端末試験装置に前述の信号強さ及びノイズ強さの設定値に基づく無線信号を送信させる。この無線信号を受信する移動通信端末にはデバック機器が接続されている。デバック機器は、移動通信端末により受信された無線信号の信号強さやノイズ強さを測定し、それらの測定値をモニタに表示する機器である。
【０００４】
試験者は、前述のデバック機器を入力操作して移動通信端末に測定を実行させ、デバック機器のモニタによって前述の測定値を視認する。そして、試験者は、計算機や暗算などにより設定値と測定値との差分値を計算し、前述の操作部を入力操作して移動通信端末試験装置のファイルに差分値を書き込む。この差分値に基づいて前述の設定値が補正されると、移動通信端末によって受信される無線信号の信号強さ及びノイズ強さは基準値と一致することになる。ただし、その無線信号の信号強さ及びノイズ強さが基準値と一致しない場合には、再度、差分値の取得手順が実行され、取得された差分値が前述のファイルに上書きされる。
【先行技術文献】
【特許文献】
【０００５】
【特許文献１】特許第４０９５０２０号公報
【発明の概要】
【発明が解決しようとする課題】
【０００６】
しかしながら、前述の受入試験の事前準備においては、試験者の手動による部分が多いため、事前準備時間が長くなる傾向にある。また、試験者の入力ミスや計算ミスなどが生じることもあり、この場合には、無線信号の信号強さ及びノイズ強さが適切に調整されず、受入試験の試験結果の正確性が低下することになる。さらに、前述の事前準備では、デバック機器が移動通信端末に接続されるが、実際の受入試験時にはそのデバック機器は移動通信端末から取り外される。この場合には、受入試験の事前準備と実際の受入試験で接続環境が異なるため、接続環境の違いに起因して受入試験の試験結果の正確性が低下することがある。
【０００７】
本発明は上記問題を解決するものであり、移動通信端末受入試験の事前準備時間の短縮及び受入試験結果の正確性低下の抑制を実現することができる移動通信端末試験装置及び移動通信端末試験方法を提供することを目的とする。
【課題を解決するための手段】
【０００８】
請求項１に記載の移動通信端末試験装置は、無線信号の信号強さを示す第１の設定値及び前記無線信号のノイズ強さを示す第２の設定値に基づいて無線信号の信号強さ及びノイズ強さを調整する電力制御部（１３ａ）と、前記電力制御部により調整された前記信号強さ及び前記ノイズ強さを有する無線信号を移動通信端末（２０）に送信する送信部（１３ｂ）と、前記移動通信端末により受信された前記無線信号の信号強さを示す第１の測定値及び前記移動通信端末により受信された前記無線信号のノイズ強さを示す第２の測定値を前記移動通信端末から取得する測定値取得部（１５）と、前記第１の設定値と前記第１の測定値との差を示す第１の差分値及び前記第２の設定値と前記第２の測定値との差を示す第２の差分値を計算する差分計算部（１６）とを備え、前記電力制御部は、前記差分計算部により計算された前記第１の差分値に基づいて前記第１の設定値を補正し、前記差分計算部により計算された前記第２の差分値に基づいて前記第２の設定値を補正し、補正した前記第１の設定値及び前記第２の設定値に基づいて前記信号強さ及び前記ノイズ強さを調整することを特徴とする。
【０００９】
また、請求項２に記載の移動通信端末試験装置は、請求項１に記載の移動通信端末試験装置であって、前記移動通信端末に測定の実行を要求する測定要求を出力する測定要求部（１４）をさらに備え、前記送信部は、前記測定要求部により出力された前記測定要求を前記移動通信端末に送信し、前記移動通信端末は、前記送信部により送信された前記測定要求に応じ、前記無線信号の信号強さ及びノイズ強さを測定することを特徴とする。
【００１０】
また、請求項３に記載の移動通信端末試験装置は、請求項１又は請求項２に記載の移動通信端末試験装置であって、前記移動通信端末は、前記第１の測定値及び前記第２の測定値を含む測定レポートを生成し、前記測定値取得部は、前記移動通信端末により生成された前記測定レポートを解析し、前記測定レポートから前記第１の測定値及び前記第２の測定値を取得することを特徴とする。
【００１１】
また、請求項４に記載の移動通信端末試験方法は、無線信号の信号強さを示す第１の設定値及び前記無線信号のノイズ強さを示す第２の設定値に基づいて無線信号の信号強さ及びノイズ強さを調整する電力制御ステップ（Ｓ２）と、前記電力制御ステップにより調整された前記信号強さ及び前記ノイズ強さを有する無線信号を移動通信端末（２０）に送信する送信ステップ（Ｓ３）と、前記移動通信端末により受信された前記無線信号の信号強さを示す第１の測定値及び前記移動通信端末により受信された前記無線信号のノイズ強さを示す第２の測定値を前記移動通信端末から取得する測定値取得ステップ（Ｓ６）と、前記第１の設定値と前記第１の測定値との差を示す第１の差分値及び前記第２の設定値と前記第２の測定値との差を示す第２の差分値を計算する差分計算ステップ（Ｓ７）とを有し、前記電力制御ステップでは、前記差分計算ステップにより計算された前記第１の差分値に基づいて前記第１の設定値を補正し、前記差分計算ステップにより計算された前記第２の差分値に基づいて前記第２の設定値を補正し、補正した前記第１の設定値及び前記第２の設定値に基づいて前記信号強さ及び前記ノイズ強さを調整することを特徴とする。
【００１２】
また、請求項５に記載の移動通信端末試験方法は、請求項４に記載の移動通信端末試験方法であって、前記移動通信端末に測定の実行を要求する測定要求を出力する測定要求ステップ（Ｓ４）をさらに有し、前記送信ステップでは、前記測定要求ステップにより出力された前記測定要求を前記移動通信端末に送信し、前記測定値取得ステップでは、前記送信ステップにより送信された前記測定要求に応じ、前記無線信号の信号強さ及びノイズ強さを測定した前記移動通信端末から、前記第１の測定値及び前記第２の測定値を取得することを特徴とする。
【００１３】
また、請求項６に記載の移動通信端末試験方法は、請求項４又は請求項５に記載の移動通信端末試験方法であって、前記移動通信端末は、前記第１の測定値及び前記第２の測定値を含む測定レポートを生成し、前記測定値取得ステップでは、前記移動通信端末により生成された前記測定レポートを解析し、前記測定レポートから前記第１の測定値及び前記第２の測定値を取得することを特徴とする。
【発明の効果】
【００１４】
本発明に係る移動通信端末試験装置又は移動通信端末試験方法によれば、移動通信端末受入試験の事前準備時間の短縮及び受入試験結果の正確性低下の抑制を実現することができる。
【図面の簡単な説明】
【００１５】
【図１】本発明の実施の一形態に係る移動通信端末試験装置の概略構成を示すブロック図である。
【図２】本発明の実施の一形態に係る移動通信端末受入試験の事前準備の流れを示すフローチャートである。
【図３】本発明の実施の一形態に係るＬＴＥ（Ｌｏｎｇ  Ｔｅｒｍ  Ｅｖｏｌｕｔｉｏｎ）の測定レポートの一例を示す図である。
【図４】本発明の実施の一形態に係るＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）の測定レポートの一例を示す図である。
【発明を実施するための形態】
【００１６】
本発明の実施の一形態について図面を参照して説明する。
【００１７】
（基本構成）
図１に示すように、本発明の実施の一形態に係る移動通信端末試験装置１０は、移動通信端末２０を試験するための装置である。この移動通信端末試験装置１０は、移動通信端末２０の受入試験の事前準備を行うための事前モードと、事前準備完了後に受入試験を行うための試験モードとに動作モードを切り替え、事前準備又は受入試験を行う。なお、以下の説明では、基本的に事前モードに関する説明を行う。
【００１８】
移動通信端末試験装置１０は、操作部１１と、パワー設定部１２と、疑似基地局装置１３と、測定要求部１４と、測定値取得部１５と、差分計算部１６と、記憶部１７とを備えている。なお、移動通信端末２０は、通常、受信信号の信号強さ及びノイズ強さを測定し、その信号強さを示す第１の測定値及びノイズ強さを示す第２の測定値を移動通信端末試験装置１０に送信することが可能に構成されている。
【００１９】
操作部１１は、試験者の入力操作を受け付ける入力部である。操作部１１としては、例えば、キーボードやマウスなどの入力デバイス、ＧＵＩ（Ｇｒａｐｈｉｃａｌ  Ｕｓｅｒ  Ｉｎｔｅｒｆａｃｅ）などを用いることが可能である。この操作部１１は、無線信号の信号強さやノイズ強さを設定する場合など必要に応じ、試験者によって操作される。
【００２０】
パワー設定部１２は、信号強さ設定部１２ａ及びノイズ強さ設定部１２ｂを有している。信号強さ設定部１２ａは、無線信号の信号強さ（例えば送信電力）を設定し、その信号強さを示す第１の設定値を保持する。ノイズ強さ設定部１２ｂは、無線信号のノイズ強さ（例えばＡＷＧＮ電力：Ａｄｄｉｔｉｖｅ  Ｗｈｉｔｅ  Ｇａｕｓｓｉａｎ  Ｎｏｉｓｅ）を設定し、そのノイズ強さを示す第２の設定値を保持する。
【００２１】
疑似基地局装置１３は、電力制御部１３ａ、送信部１３ｂ及び受信部１３ｃを有している。
【００２２】
電力制御部１３ａは、信号強さ設定部１２ａ及びノイズ強さ設定部１２ｂにより設定された第１の設定値及び第２の設定値に基づいて、送信部１３ｂによって送信される無線信号の信号強さが第１の設定値になり、そのノイズ強さが第２の設定値となるように無線信号の信号強さ及びノイズ強さを調整する。
【００２３】
送信部１３ｂは、ベースバンド信号を変調し、その変調されたベースバンド信号に必要に応じてノイズ信号（例えばＡＷＧＮ）を合成し、無線信号として移動通信端末２０に向けて送信する。このとき、送信部１３ｂは、電力制御部１３ａにより調整された信号強さ及びノイズ強さを有する無線信号を送信する。なお、前述のノイズ信号は送信部１３ｂにより生成されても良く、あるいは、ノイズ発生部などの他の装置から送信部１３ｂに入力されても良い。
【００２４】
受信部１３ｃは、移動通信端末２０から送信された無線信号を受信して復調する。この受信部１３ｃは、移動通信端末２０から送信された無線信号から測定結果を取り出し、測定値取得部１５に送る。
【００２５】
なお、疑似基地局装置１３は、試験制御部（図示せず）も有している。試験制御部は、受入試験の試験プログラム（例えば、試験スクリプト）や試験手順データなどを保持している。この試験制御部は、受入試験の事前準備完了後、事前準備により設定された各種条件や所定の試験プログラム、試験手順データに基づいて各部を制御し、受入試験を実行する。
【００２６】
測定要求部１４は、生成部１４ａを有している。生成部１４ａは、移動通信端末２０に測定の実行を要求する測定要求（例えば測定要求メッセージ）を生成する。測定要求部１４は、生成部１４ａにより生成された測定要求を出力し、移動通信端末２０に送信部１３ｂを介して送信する。
【００２７】
測定値取得部１５は、解析部１５ａを有している。解析部１５ａは、前述の受信部１３ｃから送信された測定結果（例えば測定レポートメッセージ）を解析する。測定値取得部１５は、解析部１５ａによる測定結果の解析により、測定結果から信号強さを示す第１の測定値（例えばＲＳＲＰ：Ｒｅｆｅｒｅｎｃｅ  Ｓｉｇｎａｌ  Ｒｅｃｅｉｖｅｄ  Ｐｏｗｅｒ）及びノイズ強さを示す第２の測定値（ＲＳＲＱ：Ｒｅｆｅｒｅｎｃｅ  Ｓｉｇｎａｌ  Ｒｅｃｅｉｖｅｄ  Ｑｕａｌｉｔｙ）を取得し、それらの測定値を差分計算部１６に送る。なお、ＲＳＲＰは基準信号受信電力であり、ＲＳＲＱは基準信号受信品質である。
【００２８】
差分計算部１６は、信号強さ設定部１２ａにより設定された第１の設定値と測定値取得部１５により取得された第１の測定値との差を示す第１の差分値を計算する。さらに、差分計算部１６は、信号強さ設定部１２ａにより設定された第２の設定値と測定値取得部１５により取得された第２の測定値との差を示す第２の差分値を計算する。
【００２９】
記憶部１７は、差分値設定ファイル１７ａを記憶している。この記憶部１７は、差分計算部１６により算出された第１の差分値（信号強さの差分値）及び第２の差分値（ノイズ強さの差分値）を差分値設定ファイル１７ａに書き込む。
【００３０】
（受入試験の事前準備の流れ）
次に、前述の移動通信端末試験装置１０が行う移動通信端末２０の受入試験の事前準備処理の流れについて図２から図４を参照して説明する。なお、移動通信端末試験装置１０の動作モードは、受入試験の事前準備を行うための事前モードになっている。
【００３１】
図２に示すように、ステップＳ１において、信号強さ設定部１２ａは、操作部１１に対する試験者の入力操作に応じて、試験者により入力された信号強さの入力値を設定値とする。また、ノイズ強さ設定部１２ｂは、操作部１１に対する試験者の入力操作に応じて、試験者により入力された信号強さ及びノイズ強さの入力値を用いてノイズ強さを求め、その値をノイズ強さの設定値とする（詳しくは、後述する）。試験者は操作部１１を入力操作して、試験仕様に従って予め定められた基準値に基づいて信号強さ及びノイズ強さを入力する。このため、通常、最初の設定値は基準値となる。
【００３２】
ステップＳ２において、電力制御部１３ａは、信号強さ設定部１２ａ及びノイズ強さ設定部１２ｂにより設定された第１の設定値（信号強さの設定値）及び第２の設定値（ノイズ強さの設定値）に基づいて無線信号の信号強さ及びノイズ強さを調整する。このとき、電力制御部１３ａは、送信部１３ｂにより送信される無線信号の信号強さが前述の第１の設定値となり、送信部１３ｂにより送信される無線信号のノイズ強さが第２の設定値となるように無線信号の信号強さ及びノイズ強さを調整する。
【００３３】
ステップＳ３において、送信部１３ｂは、移動通信端末試験装置１０と移動通信端末２０との通信状態が確立されると、その間、電力制御部１３ａにより調整された信号強さ及びノイズ強さを有する測定用の無線信号（ＲＦ信号）を移動通信端末２０に送信する。なお、測定用の無線信号は、少なくとも搬送信号（搬送波）とノイズ信号を含むＲＦ信号である。この測定用の無線信号において、搬送信号の信号強さは第１の設定値となっており、ノイズ信号のノイズ強さは第２の設定値となっている。
【００３４】
ステップＳ４において、測定要求部１４は、前述の通信状態の確立後、送信部１３ｂを介して移動通信端末２０に測定要求メッセージ（測定要求）を送信する。測定要求メッセージの一例としては、ｒｒｃＣｏｎｎｅｃｔｉｏｎＲｅｃｏｎｆｉｇｕｒａｔｉｏｎメッセージが挙げられる。なお、送信部１３ｂは、測定要求部１４から送られた測定要求メッセージ（ベースバンド信号）を変調し、その測定要求メッセージを含む無線信号を移動通信端末２０に送信する。
【００３５】
移動通信端末２０は、送信部１３ｂから送信された無線信号を復調し、前述の測定要求を把握すると、現状の動作モードを測定モードとして測定を実行する。移動通信端末２０は、受信信号の信号強さ及びノイズ強さを測定し、その信号強さを示す第１の測定値（例えばＲＳＲＰ）及びノイズ強さを示す第２の測定値（例えばＲＳＲＱ）を含む測定レポートメッセージを作成する。そして、移動通信端末２０は、その測定レポートメッセージ（ベースバンド信号）を変調し、測定レポートメッセージを含む無線信号を移動通信端末試験装置１０に送信する。
【００３６】
ここで、通信規格がＬＴＥである場合には、図３に示すような測定レポートが作成される。この測定レポートでは、ｒｓｒｐＲｅｓｕｌｔが信号強さを示す第１の測定値であり、ｒｓｒｐＲｅｓｕｌｔがノイズ強さを示す第２の測定値である（図３中の黒枠Ａ１内参照）。図３では、ｒｓｒｐＲｅｓｕｌｔが６６であり、ｒｓｒｐＲｅｓｕｌｔが２０である。また、通信規格がＷ−ＣＤＭＡである場合には、図４に示すような測定レポートが作成される。この測定レポートでは、ｃｐｉｃｈ−ＲＳＣＰが信号強さを示す第１の測定値であり、ｃｐｉｃｈ−Ｅｃ−Ｎ０がノイズ強さを示す第２の測定値である（図４中の黒枠Ａ２内参照）。図４では、ｃｐｉｃｈ−ＲＳＣＰが４１であり、ｃｐｉｃｈ−Ｅｃ−Ｎ０が３８である。このような測定レポートが測定レポートメッセージとして移動通信端末２０から移動通信端末試験装置１０に送信される。
【００３７】
ステップＳ５において、測定値取得部１５は、移動通信端末２０から受信部１３ｃを介して測定レポートメッセージ（測定応答）を受信する。測定レポートメッセージの一例としては、ｍｅａｓｕｒｅｍｅｎｔＲｅｐｏｒｔメッセージが挙げられる。なお、受信部１３ｃは、移動通信端末２０により送信された無線信号を復調し、無線信号から測定レポートメッセージを取り出し、測定値取得部１５に送る。
【００３８】
ステップＳ６において、測定値取得部１５は、受信部１３ｃから送られた測定レポートメッセージを解析部１５ａにより解析し、測定レポートメッセージから第１の測定値（信号強さの測定値）及び第２の測定値（ノイズ強さの測定値）を取得する。そして、測定値取得部１５は、第１の測定値及び第２の測定値を差分計算部１６に送る。
【００３９】
ステップＳ７において、差分計算部１６は、信号強さ設定部１２ａにより予め設定された第１の設定値と測定値取得部１５から送られた第１の測定値とから第１の差分値（信号強さの差分値）を計算する。さらに、差分計算部１６は、信号強さ設定部１２ａにより予め設定された第２の設定値と測定値取得部１５から送られた第２の測定値とから第２の差分値（ノイズ強さの差分値）を計算する。
【００４０】
ステップＳ８において、記憶部１７は、差分計算部１６により算出された第１の差分値（信号強さの差分値）及び第２の差分値（ノイズ強さの差分値）を差分値設定ファイル１７ａに書き込む。これにより、受入試験の事前準備が完了する。
【００４１】
その後、移動通信端末試験装置１０の動作モードが事前モードから試験モードに切り替えられ、受入試験が開始される。受入試験では、電力制御部１３ａは、差分値設定ファイル１７ａに書き込まれた第１の差分値及び第２の差分値を読み出し、その読み出した第１の差分値及び第２の差分値に基づいて第１の設定値及び第２の設定値を補正する。そして、電力制御部１３ａは、補正した第１の設定値及び第２の設定値に基づいて無線信号の信号強さ及びノイズ強さを調整する。送信部１３ｂは、電力制御部１３ａにより調整された信号強さ及びノイズ強さを有する試験用の無線信号を移動通信端末２０に送信する。このように、試験用の無線信号は、補正された第１の設定値及び第２の設定値に基づいて調整されてから出力されるため、移動通信端末２０によって受信される無線信号の信号強さ及びノイズ強さは、試験仕様に基づいて予め定められた基準値と一致することになる。
【００４２】
なお、差分値設定ファイル１７ａにおいて、第１の差分値の初期値及び第２の差分値の初期値は０（ゼロ）に設定されている。これらの初期値は、差分計算部１６により算出された第１の差分値及び第２の差分値によって上書きされるが、受入試験が完了した時点で０にリセットされる。ただし、受入試験完了後、差分値設定ファイル１７ａ内の第１の差分値及び第２の差分値を他の受入試験でも用いる場合には、それらの差分値を０にリセットせずに残しておくことも可能である。
【００４３】
また、受入試験の事前準備においては、差分値設定ファイル１７ａに対する第１の差分値及び第２の差分値の書き込みは少なくとも一回行われれば良い。ただし、事前準備後の受入試験において、無線信号の信号強さ及びノイズ強さが基準値と一致しない場合など、必要に応じて、差分値の取得工程を再び実行し、取得した差分値を前述の差分値設定ファイル１７ａに上書きするようにしても良い。このように差分値の取得工程を繰り返すことによって、無線信号の信号強さ及びノイズ強さを基準値に近づけていき、いずれ一致させることができる。
【００４４】
（差分計算式の例）
次に、前述のステップＳ７で用いられる差分計算式の例について説明する。
【００４５】
通信規格がＬＴＥで、第１の差分値（信号強さの差分値）を求める場合には、
差分値＝設定値−測定値の変換値＝設定値−（rsrpResult−１４０）
という式が用いられる。ここで、設定値＝−７５、rsrpResult（測定値）＝６６である場合には（図３参照）、差分値＝（−７５）−（６６−１４０）＝−１ｄＢとなる。なお、このときの設定値は、前述のステップＳ１において試験者により基準値に基づいて入力された信号強さ（Ｐｏｗｅｒ）の入力値（＝基準値）である。
【００４６】
通信規格がＬＴＥで、第２の差分値（ノイズ強さの差分値）を求める場合には、
差分値＝設定値−測定値の変換値＝設定値−（rsrqResult÷２−１９．５）
という式が用いられる。ここで、設定値＝−１０、rsrqResult（測定値）＝２０である場合には（図３参照）、差分値＝（−１０）−（２０÷２−１９．５）＝−０．５ｄＢとなる。なお、このときの設定値は、前述のステップＳ１において試験者により基準値に基づいて入力された信号強さ（Ｐｏｗｅｒ）及びノイズ強さ（ＡＷＧＮ）の入力値が用いられ、Ｐｏｗｅｒと（Ｐｏｗｅｒ＋ＡＷＧＮ）との比から求められた値（＝基準値）である。
【００４７】
通信規格がＷ−ＣＤＭＡで、第１の差分値（信号強さの差分値）を求める場合には、
差分値＝設定値−測定値の変換値＝設定値−（cpich-RSCP−１１５）
という式が用いられる。ここで、設定値＝−７５、cpich-RSCP（測定値）＝４１である場合には（図４参照）、差分値＝（−７５）−（４１−１１５）＝−１ｄＢとなる。なお、このときの設定値は、前述と同様、前述のステップＳ１において試験者により基準値に基づいて入力された信号強さ（Ｐｏｗｅｒ）の入力値（＝基準値）である。
【００４８】
通信規格がＷ−ＣＤＭＡで、第２の差分値（ノイズ強さの差分値）を求める場合には、
差分値＝設定値−測定値の変換値＝設定値−（cpich-Ec-N0÷２−２４）
という式が用いられる。ここで、設定値＝−１０、cpich-Ec-N0（測定値）＝３８である場合には（図４参照）、差分値＝（−１０）−（３８÷２−２４）＝−５ｄＢとなる。なお、このときの設定値は、前述と同様、前述のステップＳ１において試験者により基準値に基づいて入力された信号強さ（Ｐｏｗｅｒ）及びノイズ強さ（ＡＷＧＮ）の入力値（＝基準値）が用いられ、Ｐｏｗｅｒと（Ｐｏｗｅｒ＋ＡＷＧＮ）との比から求められた値である。
【００４９】
このように求められた第１の差分値及び第２の差分値は、記憶部１７内の差分値設定ファイル１７ａに書き込まれる。その後、受入試験では、第１の差分値及び第２の差分値は、電力制御部１３ａにより差分値設定ファイル１７ａから読み出されて用いられ、それらの差分値に基づいて第１の設定値及び第２の設定値が補正される。
【００５０】
例えば、前述のように、差分値＝（−７５）−（６６−１４０）＝−１ｄＢである場合には、第１の設定値（基準値）が−７５ｄＢであり、第１の差分値が−１ｄＢである。この場合には、受信信号の信号強さは基準値より１ｄＢだけ大きくなっている。このため、送信信号の設定値を予め１ｄＢ小さくしておけば、受信信号の信号強さは基準値となる。そこで、前述の第１の設定値は、−７５ｄＢが１ｄＢ小さくされ（−７５−１＝−７６）、−７６ｄＢに補正される。この設定値に基づいて無線信号が送信されると、受信信号の信号強さは１ｄＢだけ大きくなり（−７６＋１＝−７５）、−７５ｄＢとなる。このようにして、受信信号の信号強さは、試験仕様に基づいて予め定められた基準値（−７５ｄＢ）と一致することになる。なお、第２の設定値の補正も同様の流れである。
【００５１】
以上説明したように、本実施形態によれば、移動通信端末２０の受入試験の事前準備において、送信信号の信号強さを示す第１の設定値及びノイズ強さを示す第２の設定値が信号強さ設定部１２ａ及びノイズ強さ設定部１２ｂにより設定され、受信信号の信号強さを示す第１の測定値及びノイズ強さを示す第２の測定値が測定値取得部１５ａにより得られる。そして、第１の設定値と第１の測定値と差を示す第１の差分値及び第２の設定値と第２の測定値との差を示す第２の差分値が差分計算部１６により算出される。受入試験では、第１の設定値が第１の差分値に基づいて電力制御部１３ａにより補正されて用いられ、また、第２の設定値が第２の差分値に基づいて電力制御部１３ａにより補正されて用いられる。
【００５２】
これにより、送信部１３ｂから送信される無線信号は、第１の差分値及び第２の差分値に基づいて補正された第１の設定値及び第２の設定値に従って調整されて出力されるので、移動通信端末２０により受信される無線信号の信号強さ及びノイズ強さは、試験仕様に基づいて予め定められた基準値と一致することになる。このように受入試験の事前準備において、試験者の手動による部分が省かれ、試験者の手動に起因する事前準備時間の延長やミスなどを抑えることが可能となる。これにより、受入試験の事前準備時間を短縮することができ、さらに、受入試験結果の正確性の低下を抑えることができる。また、移動通信端末２０にデバック機器が接続されることは無くなり、受入試験の事前準備と実際の受入試験で接続環境は同じとなるため、接続環境の違いに起因する受入試験結果の正確性の低下も抑えることができる。
【００５３】
また、移動通信端末２０に測定の実行を要求する測定要求が測定要求部１４により移動通信端末２０に出される。この測定要求に応じて、移動通信端末２０は動作モードを例えば通常モードから測定モードに移行させて測定を行う。このように、移動通信端末２０の動作モードは自動的に測定モードになるため、試験者の手動により動作モードを測定モードにする必要は無くなる。これにより、受入試験の事前準備において試験者の手動による部分が省かれ、受入試験の事前準備時間をより短くすることができる。
【００５４】
なお、前述の実施形態においては、測定要求部１４により移動通信端末２０に測定要求を出すことで、移動通信端末２０の動作モードを自動的に測定モードにしているが、これに限るものではなく、例えば、試験者が移動通信端末２０の所定キーを押下することで、移動通信端末２０の動作モードを測定モードにするようにしても良い。また、動作モードを変える入力デバイスを移動通信端末２０に接続し、試験者がその入力デバイスを操作することで、移動通信端末２０の動作モードを測定モードにするようにしても良い。ただし、受入試験の事前準備において試験者の手動による部分を省くためには、前述のように測定要求に応じて移動通信端末２０の動作モードを自動的に測定モードにすることが望ましい。
【００５５】
また、前述の実施形態においては、記憶部１７により第１の差分値及び第２の差分値を記憶しているが、これに限るものではなく、第１の差分値に基づく補正後の設定値や第２の差分値に基づく補正後の設定値を記憶部１７により記憶しておき、受入試験では、補正後の各設定値を読み込んで用いることも可能である。
【符号の説明】
【００５６】
１０    移動通信端末試験装置
１１    操作部
１２    パワー設定部
１２ａ  信号強さ設定部
１２ｂ  ノイズ強さ設定部
１３    疑似基地局装置
１３ａ  電力制御部
１３ｂ  送信部
１３ｃ  受信部
１４    測定要求部
１４ａ  生成部
１５    測定値取得部
１５ａ  解析部
１６    差分計算部
１７    記憶部
１７ａ  差分値設定ファイル
２０    移動通信端末
【図１】
2017098651.tif 000003
【図２】
2017098651.tif 000004
【図３】
2017098651.tif 000005
【図４】
2017098651.tif 000006